(57)【要約】      （修正有）【課題】巾着袋や風呂敷としても利用可能であって、かつ使用時に優れた美観を備える布包装体を提供する。【解決手段】一枚の基布２と、締め紐３ａ、３ｂと、締め紐が挿通される基布上の平面視配置が四角形で、その断面が袋状の紐挿通部４とを有し、紐挿通部は、基布の一方の面に突設されるように袋状の根元部分で基布が縫合もしくは貼合わされることで形成され、紐挿通部の四角形の四つの角部のうちの少なくとも一つには、挿通された締め紐が引き出し可能とされる挿脱口６ａ、６ｃが設けられて、基布が、紐挿通部の四角形に囲まれた内側平面とその外側平面とに分けられる。紐挿通部が突設された一方の面を内側として被包装物を包装する場合には、締め紐を締めることで、四角形の外側平面が自由端部としての舌片部１２となることが可能とされ、紐挿通部が突設された一方の面の裏面である他方の面を内側として被包装物を包装する場合には、締め紐を締めることで、巾着状の袋体包装とする。【選択図】図５
0003197792.tif 000002
【実用新案登録請求の範囲】
【請求項１】
一枚の基布と、締め紐と、締め紐が挿通される基布上の平面視配置が四角形で、その断面が袋状の紐挿通部とを有し、
前記紐挿通部は、基布の一方の面に突設されるように前記袋状の根元部分で基布が縫合もしくは貼合わされることで形成され、
前記紐挿通部の前記四角形の四つの角部はその各々が前記基布の辺縁に位置し、四つの角部のうちの少なくとも一つには、挿通された締め紐が引き出し可能とされる挿脱口が設けられて、
前記基布が、紐挿通部の前記四角形に囲まれた内側平面とその外側平面とに分けられるとともに、前記紐挿通部が突設された一方の面とその裏側としての他方の面とに分けられた布包装体であり、
前記紐挿通部が突設された前記一方の面を内側として被包装物を包装する場合には、前記締め紐を締めることで、前記四角形の外側平面が自由端部としての舌片部となることが可能とされ、
前記紐挿通部が突設された一方の面の裏面である前記他方の面を内側として被包装物を包装する場合には、前記四角形の外側平面を内側平面へと折り返し、前記締め紐を締めることで、巾着状の袋体包装とすることが可能とされることを特徴とする布包装体。
【請求項２】
前記締め紐の前記挿脱口は、四つの角部の対角位置の二ヶ所に設けられていることを特徴とする請求項１に記載の布包装体。
【請求項３】
前記基布は、平面四辺形であるか、もしくは、平面形状が変形されたものであることを特徴とする請求項１または２に記載の布包装体。
【請求項４】
前記基布は、その表裏の少なくとも一方の平面において色彩、模様、図柄の少なくともいずれかで染色もしくは染色区分されていることを特徴とする請求項１から３のうちのいずれか一項に記載の布包装体。
【請求項５】
前記舌片部の少なくとも一部のみが異なる染色区分されていることを特徴とする請求項４に記載の布包装体。
【請求項６】
前記基布は、繊維織物、不織布、フィルム、シートもしくは紙であることを特徴とする請求項１から５のうちのいずれか一項に記載の布包装体。
【請求項７】
前記基布は、複数枚の布体が各々の端縁おいて縫合もしくは貼合わされて一枚の布として形成されたものであることを特徴とする請求項１から６のうちのいずれか一項に記載の布包装体。
【請求項８】
前記基布には、別体としての布体が重ねられて縫合もしくは貼合わされていることを特徴とする請求項１から７のうちのいずれか一項に記載の布包装体。
【請求項９】
巾着袋であることを特徴とする請求項１から８のうちのいずれか一項に記載の布包装体。
【請求項１０】
風呂敷であることを特徴とする請求項１から８のうちのいずれか一項に記載の布包装体。
【考案の詳細な説明】
【技術分野】
【０００１】
本考案は、巾着袋、風呂敷などとして利用可能であって、かつ優れた美観を備える布包装体に関するものである。
【背景技術】
【０００２】
近年、環境志向の高まりによって、化石燃料を原材料とする包装体であるビニール袋やポリ袋等の削減が求められるようになり、風呂敷や巾着袋等の我が国の伝統的な包装体について見直されつつある。
【０００３】
例えば、風呂敷は、重箱のような箱型の被包装物から一升瓶のように重量があって運びにくい被包装物まで様々な形状の被包装物を包装することが可能であり、しかも使用しない時には、小さく折り畳んで保管することも可能である。一方、巾着袋は、あらかじめ袋体が形成されているため、風呂敷ほど形状の自由度は高くはないものの、強度面に優れており、しかも、袋体の開口部が窄まり、締め紐を結ぶことによって被包装物や内容物の落下が未然に防止されるため、利便性が高い。また、風呂敷や巾着袋は、布の生地や織物としての形態、そして染色、絵柄の多様な選択が可能であることから、伝統的な和風のものからモダンな洋風のものまでの意匠としての自由度、美観性に優れてもいる。このように、風呂敷や巾着袋にはそれぞれ優れた特徴が備わっている。
【０００４】
従来よりこのような風呂敷と巾着袋の特徴を生かして、さらにその利便性や意匠性を高めるために、その形状や構造等についての工夫改善が試みられている。
【０００５】
例えば、風呂敷を用いて形成された巾着袋や、風呂敷と巾着袋に自在に相互に変形可能な風呂敷が提案されている。（例えば、特許文献１、２参照）。
【０００６】
特許文献１に記載された風呂敷を応用した巾着袋では、表裏に任意の図柄模様や採色が施された風呂敷本体において、該風呂敷本体の対向する隅角部をそれぞれ内折して三角状舌片を形成し、三角状舌片の平行な折曲線に沿って、紐挿通孔を縫成して設け、互いの三角状舌片が接するように折半し、左右の傾斜辺を縫成して台形袋体を形成すると同時に、該台形袋体の表裏を反転させ、一方側および他方側の紐挿通孔の開口孔よりＵ字状にそれぞれ紐片を挿通している。このような構造により、風呂敷の表裏に描出された独自の斬新な図柄模様や採色を巾着袋の外側にそれぞれ露出させるとともに、その使用時には、垂れ片となる三角状舌片が左右に出現して、極めて美麗な外観を有した巾着袋が得られるとされている。
【０００７】
また、特許文献２では、図１２に示すように、風呂敷１６において、略正方形の布地１７の隣り合う各辺１８ａ、１８ｂ、１８ｃ、１８ｄの略中央部を順次結ぶ線に沿って紐収納部１９を形成し、その収納部１９の上記各辺１８ａ、１８ｂ、１８ｃ、１８ｄの略中央部に位置する部分をそれぞれ開口すると共に、収納部１９に第１紐２１と第２紐２２とを収納して各紐の両端部をそれぞれ結合する。これにより、上記４つの開口部２０のうちの何れか１つから外部に露出している第１紐部分２１ａとその対向位置にある開口部２０から同じく外部に露出している第２紐部分２２ａとを同時に外方に引っ張った時に上記紐収納部１９が口縁部となる、例えば、図１３に示したような袋２３が形成されるようにしている。このような構造を備えることにより、特許文献２に記載された複合型風呂敷１６では、従来同様の風呂敷として使用できるばかりでなく、面倒な操作を必要とせず、袋２３としても使用することが可能になるとされている。また、特許文献２に記載された複合型風呂敷１６では、図１３に示すように、対向する位置にある２つのコーナー部２４を外方に引っ張って広げれば、第１紐２１と第２紐２２が自ずと当所の位置に復帰するので、簡単に風呂敷１６の状態に戻すことができるとされている。
【先行技術文献】
【特許文献】
【０００８】
【特許文献１】実用新案登録第３０５１３３６号公報
【特許文献２】実開平１−８４２１０号公報
【考案の概要】
【考案が解決しようとする課題】
【０００９】
しかしながら、特許文献１に記載された風呂敷を応用した巾着袋では、左右の傾斜辺を縫成して台形袋体を形成するため、使用形態が巾着袋に限定されてしまい、風呂敷としての利用が困難となる。
【００１０】
また、特許文献２に記載された複合風呂敷１６は、図１４の図１２Ｃ−Ｃ’断面に示すように、基本的に略正方形の２枚の布地１７ａ、１７ｂを重ね合わせて風呂敷１６の布地１７としており、この２枚の布地１７ａ、１７ｂを互いに縫着することにより、２枚の布地１７ａ、１７ｂの間に生じる隙間に紐収納部１９が形成されている。このため、紐収納部１９は、表面の布地１７ａと裏面の布地１７ｂの何れの方向にも突設しており、風呂敷として折り畳み使用する際にこの突設が膨出して必ずしも奇麗に畳むことが容易ではない。
【００１１】
本考案は、以上のとおりの事情に鑑みてなされたものであり、巾着袋や風呂敷としても利用可能であって、かつ使用時に優れた美観を備える布包装体を提供することを課題とする。
【課題を解決するための手段】
【００１２】
本考案の布包装体は、一枚の基布と、締め紐と、締め紐が挿通される基布上の平面視配置が四角形で、その断面が袋状の紐挿通部とを有し、紐挿通部は、基布の一方の面に突設されるように袋状の根元部分で基布が縫合もしくは貼合わされることで形成され、紐挿通部の四角形の四つの角部はその各々が基布の辺縁に位置し、四つの角部のうちの少なくとも一つには、挿通された締め紐が引き出し可能とされる挿脱口が設けられて、基布が、紐挿通部の四角形に囲まれた内側平面とその外側平面とに分けられるとともに、紐挿通部が突設された一方の面とその裏側としての他方の面とに分けられた布包装体であり、紐挿通部が突設された一方の面を内側として被包装物を包装する場合には、締め紐を締めることで、四角形の外側平面が自由端部としての舌片部となることが可能とされ、紐挿通部が突設された一方の面の裏面である他方の面を内側として被包装物を包装する場合には、四角形の外側平面を内側平面へと折り返し、締め紐を締めることで、巾着状の袋体包装とすることが可能とされることを特徴とする。
【００１３】
本考案の布包装体においては、締め紐の挿脱口は、四つの角部の対角位置の二ヶ所に設けられていることが好ましい。
【００１４】
また、本考案の布包装体においては、基布は、平面四辺形であるか、もしくは、平面形状が変形されたものであることが好ましい。
【００１５】
さらに、本考案の布包装体においては、基布は、その表裏の少なくとも一方の平面において色彩、模様、図柄の少なくともいずれかで染色もしくは染色区分されていることが好ましい。
【００１６】
また、本考案の布包装体においては、舌片部の少なくとも一部のみが異なる染色区分されていることが好ましい。
【００１７】
また、本考案の布包装体においては、基布は、繊維織物、不織布、フィルム、シートもしくは紙であることが好ましい。
【００１８】
さらに、本考案の布包装体においては、基布は、複数枚の布体が各々の端縁おいて縫合もしくは貼合わされて一枚の布として形成されたものであることが好ましい。
【００１９】
また、本考案の布包装体においては、基布には、別体としての布体が重ねられて縫合もしくは貼合わされていることが好ましい。
【００２０】
また、本考案の布包装体においては、布包装体が巾着袋であることが好ましい。
【００２１】
また、本考案の布包装体においては、布包装体が風呂敷であることが好ましい。
【考案の効果】
【００２２】
本考案の布包装体によれば、巾着袋、風呂敷などとしても利用可能であって、かつ使用時に優れた美観を備える布包装体を提供することが可能となる。
【図面の簡単な説明】
【００２３】
【図１】本考案の布包装体において、紐挿通部を備えた一方の面を内側として被包装物を包装する際の展開状態を示した概略平面図である。
【図２】図１におけるＡ−Ａ’断面図である。
【図３】本考案の布包装体における包装途中の被包装物および布包装体を示した概略斜視図である。
【図４】本考案の布包装体における締め紐の挿通方法を示した概略平面図である。
【図５】本考案の布包装体における布包装体の使用状態を示した概略斜視図である。
【図６】図５における本考案の布包装体の概略平面図である。
【図７】本考案の布包装体において、紐挿通部を備えた一方の面の裏面である他方の面を内側として被包装物を包装する際の展開状態を示した概略平面図である。
【図８】図７における四角形の外側平面を内側平面へと折り返した状態を示した概略平面図である。
【図９】本考案の布包装体における包装途中の被包装物および布包装体を示した概略斜視図である。
【図１０】本考案の布包装体における布包装体の使用状態を示した概略斜視図である。
【図１１】図８におけるＢ−Ｂ’断面図である。
【図１２】従来技術の複合風呂敷の展開状態を示した概略平面図である。
【図１３】従来技術の複合風呂敷の使用状態を示した概略斜視図である。
【図１４】従来技術の複合風呂敷におけるＣ−Ｃ’断面図である。
【考案を実施するための形態】
【００２４】
以下、本考案を実施するための形態について詳細に説明する。
【００２５】
図１は、本考案の布包装体において、紐挿通部を備えた一方の面を内側として被包装物を包装する際の展開状態を示した概略平面図である。また、図２は、図１におけるＡ−Ａ’断面図である。
【００２６】
本実施形態の布包装体１は、一枚の基布２と、締め紐３ａ、３ｂと、この締め紐３ａ、３ｂが挿通される基布２上の平面視配置が四角形で、その断面が袋状の紐挿通部４とを有している。この紐挿通部４は、図２の断面図に示すように、基布２の一方の面に突設されるように袋状部の根元部分で基布２が縫合もしくは貼合わされることで形成されている。
【００２７】
図１に示すように、紐挿通部４の四角形の四つの角部５ａ、５ｂ、５ｃ、５ｄは、その各々が基布２の辺縁に位置する。この四つの角部５ａ、５ｂ、５ｃ、５ｄのうちの少なくとも一つには、挿通された締め紐３ａ、３ｂが引き出し可能とされる挿脱口６ａ、６ｂ、６ｃ、６ｄが設けられている。図１の例では、挿脱口６ａ、６ｃから締め紐３ａ、３ｂが引き出し可能とされている。
【００２８】
このように、挿脱口６ａ、６ｃから引き出された締め紐３ａ、３ｂを対角に引っ張ることによって、例えば、図３に示すように紐挿通部４が開口部１４となり、この開口部１４が徐々に窄まり、基布２が袋体１５を形成し、巾着状の布包装体１が形成される。
【００２９】
断面袋状の紐挿通部４は、例えば、図１の例では、基布２の直交する対角線の交点と、基布２の四隅が重なるように谷折で折り返し、この折り返し部分から、例えば１ｃｍ程度内側を縫合または貼り合わせることにより形成される。
【００３０】
紐挿通部４の袋状部の根元部分においては、基布２を縫合する際には、縫糸１３を用いて手縫いしてもよいし、ミシン糸１３ａを用いてミシン掛けによって縫合してもよい。
【００３１】
また、紐挿通部４の袋状部の根元部分においては、基布２を接着する場合には、布用の接着剤を用いることができる。布用の接着剤としては、接着強度が十分であって、基布２の伸縮性を損なうことがなく、かつ洗濯時に溶出しない限り、特に限定されない。例えば、ウレタン樹脂系水性硬化型接着剤などが例示される。
【００３２】
図４は、本考案の布包装体における締め紐の挿通方法を示した概略平面図である。例えば、図３、４に示すように、２本の締め紐３ａ、３ｂを紐挿通部４に挿通し、挿脱口６ａ、６ｃより締め紐３ａ、３ｂを引き出す。締め紐３ａは、その一方の端部を挿脱口６ａより紐挿通部４に挿通し、挿脱口６ｂ、６ｃ、６ｄの順に一方の端部を通過させて、挿脱口６ａから一方の端部を引き出す。そして、引き出した締め紐３ａの一方の端部を紐挿通部４から挿脱したままの締め紐３ａの他方の端部と結束し、輪を形成する。締め紐３ａを挿通する際には、例えば、締め紐３ａの一方の端部を市販の紐通しに結び止め、この紐通しごと締め紐３ａを紐挿通部４に挿通し、開口部６ａより挿脱させることができる。
【００３３】
同様に、締め紐３ｂについても、その一方の端部を挿脱口６ｃより紐挿通部４に挿通し、挿脱口６ｄ、６ａ、６ｂの順に一方の端部を通過させて、挿脱口６ｃから一方の端部を引き出す。そして、引き出した締め紐３ｂの一方の端部を紐挿通部４から挿脱したままの締め紐３ｂの他方の端部と結束し、輪を形成する。
【００３４】
このように、挿脱口６ａ、６ｃから引き出された締め紐３ａ、３ｂが紐挿通部４において輪を作っており、締め紐３ａ、３ｂを対角に引っ張ることによって、図３に示すように紐挿通部４が開口部１４となり、この開口部１４が徐々に窄まり、基布２が袋体１５を形成し、巾着状の布包装体１が形成される。
【００３５】
なお、締め紐は、１本であってもよいし、２本以上であってもよい。また、締め紐が図４のように輪を作るように挿通されている場合、端部が結束されていてもよいし、結束されていなくてもよい。
【００３６】
布包装体１においては、締め紐３ａ、３ｂは、巾着袋に通常用いられている紐であれば特に制限されない。例えば、断面円形の紐や断面矩形の紐などが例示される。
【００３７】
布包装体１においては、基布２は、図１および図２にも示したように紐挿通部４の四角形に囲まれた内側平面７とその外側平面８とに分けられるとともに、紐挿通部４が突設された一方の面９とその裏側としての他方の面１０とに分けられた布包装体１を形成する。
【００３８】
本考案の布包装体１は、例えば、前記図３のように紐挿通部４が突設された一方の面９を内側として被包装物１１を包装する場合には、締め紐３ａ、３ｂを締めることで、紐挿通部４が開口部１４となり、この開口部１４が徐々に窄まり、例えば、図５のように、袋体１５が形成される。そして、四角形の外側平面７が自由端部としての舌片部１２となることが可能とされている。この場合、図３、図５および図５の平面図としての図６に示すように、舌片部１２があたかも花びらのように広がり、巾着状の袋体包装が花のつぼみを思わせる形状を呈する。このように、紐挿通部４が突設された一方の面９を内側として被包装物１１を包装する場合には、意匠面に優れた形状の巾着状の袋体包装が実現される。
【００３９】
図７は、紐挿通部を備えた前記一方の面９の裏面である他方の面１０を内側として被包装物１１を包装する場合の布包装体１の展開状態を示した概略平面図である。また、図８は、図７における四角形の外側平面８を内側平面７側へと折り返した状態を示した概略平面図である。
【００４０】
紐挿通部４が突設された一方の面９の裏面である他方の面１０を内側として被包装物１１を包装する場合には、図８のように四角形の外側平面８を内側平面７へと折り返し、締め紐３ａ、３ｂを締めることで、図９、図１０のように、紐挿通部４が開口部１４となり、この開口部１４が徐々に窄まり、袋体１５が形成される。その結果、前記舌片部１２が露出しない巾着状の袋体包装とすることが可能とされる。
【００４１】
図８の状態では、紐挿通部４は、図１１の断面図に示すように基布２から突設することなく、布包装体１の水平方向の左右に倒伏した状態で配置される。紐挿通部４の根元部分は、縫合または貼合わされているため、舌片部１２の浮き上がりが抑えられ、略正方形に奇麗に基布２を折り畳むことが可能となる。
【００４２】
そして、図９および１０に示すように、舌片部１２が袋体１５の内部に折り込まれ、従来型のシンプルな形状を有する巾着状の袋体包装が可能となる。
【００４３】
また、布包装体１は、紐挿通部４が突設された一方の面９の裏面である他方の面１０を内側として被包装物１１を包装する場合には、四角形の外側平面８を内側平面７へと折り返さずに、図７の状態で、対角配置された四角形の外側平面８同士を結び合わせることで、風呂敷としても使用可能である。
【００４４】
このように、布包装体１は、基布２における紐挿通部４が突設された一方の面９を内側として被包装物１１を包装する場合と、紐挿通部４が突設された一方の面９の裏面である他方の面１０を内側として被包装物１１を包装する場合とで、異なる包装形態を実現することができる。そのため、一つの布包装体１でありながら、使用者が必要とする場面に応じ、あるいは、使用者の好み、または被包装物１１の形状などに応じて、異なる包装形態を実現することができる。
【００４５】
布包装体１においては、基布２の形状は、被包装物１１の包装が可能であれば特に限定されるものではない。すなわち、基布２の形状は、平面四辺形であるか、もしくは、平面形状が変形されたもの、具体的には、略円形や略楕円形等の形状であってもよい。
【００４６】
また、布包装体１においては、基布２の材質としては、被包装物を包装するために必要な強度を備えている限り、特に限定されない。例えば、繊維織物、不織布、フィルム、シート、もしくは紙などが例示される。また、繊維織物を構成する繊維としては、例えば、木綿、絹などの天然繊維のほか、ナイロンなどの再生繊維、レーヨン、ポリエステルなどの合成繊維などが例示される。これらの繊維は、単独または２種類以上の併用が可能である。特に、天然繊維のみからなる基布２を用いると、肌触りや風合いに優れた布包装体１が得られるため好ましい。
【００４７】
布包装体１においては、基布２は、その表裏の少なくとも一方の平面において色彩、模様、図柄の少なくともいずれかで染色もしくは染色区分されていることが好ましい。具体的には、例えば、紐挿通部４の四角形に囲まれた内側平面７とその外側平面８とが染色区分された基布２や、舌片部１２の少なくとも一部のみが、紐挿通部４の四角形に囲まれた内側平面７や他の舌片部１２と染色区分された基布２などが例示される。
【００４８】
また、布包装体１においては、基布２は、複数枚の布体が各々の端縁において縫合もしくは貼合わされて一枚の布として形成されたものであってもよい。この場合、基布２は、紐挿通部４の四角形に囲まれた内側平面７を構成する布体とその外側平面８を構成する布体との縫合もしくは貼合わせ部分と、この紐挿通部４の袋状の根元部分の基布２が縫合もしくは貼合わされて、布包装体１が形成される。また、複数枚の布体は、各々が色彩、模様、図柄の少なくともいずれかで染色もしくは染色区分されていることが好ましい。
【００４９】
さらに、布包装体１においては、基布２は、別体としての布体が重ねられて縫合もしくは、貼合わされたものであってもよい。別体としての布体が重ねられて縫合もしくは貼合わされるのは、紐挿通部４が突設された一方の面９であっても、一方の面９の裏面である他方の面１０であってもよい。また、別体としての布体が重ねられて縫合もしくは貼合わされるのは、紐挿通部４の四角形に囲まれた内側平面７であっても、四角形の外側平面８であってもよい。別体としての布体が重ねられて縫合もしくは貼合わされるのが、紐挿通部４が突設された一方の面９であって、かつ、四角形の外側平面８である場合、紐挿通部４が突設された一方の面９を内側として被包装物１１を包装すると、締め紐３ａ、３ｂを締めることで、布体が２枚重なった四角形の外側平面７が自由端部としての舌片部１２を形成するため、舌片部１２に立体感が生まれ、より布包装体１の意匠性を高めることができる。
【００５０】
なお、別体としての布体は、基布２と同じ材質であってもよいし、異なる材質であってもよい。
【符号の説明】
【００５１】
１  布包装体
２  基布
３ａ、３ｂ  締め紐
４  紐挿通部
５ａ、５ｂ、５ｃ、５ｄ  角部
６ａ、６ｂ、６ｃ、６ｄ  挿脱口
７  内側平面
８  外側平面
９  一方の面
１０  他方の面
１１  被包装物
１２  舌片部
１３  縫糸
１３ａ  ミシン糸
１４  開口部
１５  袋体
１６  複合風呂敷
１７  布地
１７ａ  布地１
１７ｂ  布地２
１８ａ、１８ｂ、１８ｃ、１８ｄ  各辺
１９  紐収納部
２０  開口部
２１  第１紐
２１ａ  第１紐部分
２２  第２紐
２２ａ  第２紐部分
２３  袋
２４  コーナー部
【図１】
0003197792.tif 000003
【図２】
0003197792.tif 000004
【図３】
0003197792.tif 000005
【図４】
0003197792.tif 000006
【図５】
0003197792.tif 000007
【図６】
0003197792.tif 000008
【図７】
0003197792.tif 000009
【図８】
0003197792.tif 000010
【図９】
0003197792.tif 000011
【図１０】
0003197792.tif 000012
【図１１】
0003197792.tif 000013
【図１２】
0003197792.tif 000014
【図１３】
0003197792.tif 000015
【図１４】
0003197792.tif 000016